(57)【要約】【課題】水槽が外側に変形しても漏水の心配が無い濾過ユニットを提供する。【解決手段】濁水を浄化する濾過フィルター１を枠体３内に収容し、上下面が網体４で形成された濾過カートリッジ２を、濾過ユニット１０の脚１４で支えられたボックス１１内に重ねて収容する。この濾過ユニット１０を水槽Ｔ内に設置する。【選択図】図２
2014124564.tif 000002
【特許請求の範囲】
【請求項１】
濁水を浄化する濾過フィルターを枠体内に収容し、上下面が網体で形成された濾過カートリッジを重ねて収容するボックスと、
前記ボックスを支える脚と、を備えることを特徴とする濾過ユニット。
【請求項２】
前記ボックスは底面に開口を備えることを特徴とする請求項１に記載の濾過ユニット。
【請求項３】
水槽内に、請求項１または２に記載の濾過ユニットを設置したことを特徴とする濁水処理装置。
【発明の詳細な説明】
【技術分野】
【０００１】
本発明は、濁水を浄化する濾過フィルターを組み込んだ濾過カートリッジを含む濾過ユニットと、その濾過ユニットを備える濁水処理装置に関する。
【背景技術】
【０００２】
本出願人は、特許文献１において、沈殿物によって埋まることによるフィルター有効面積の低減を防止するため、濁水を浄化するフィルターをタンク内に横置きに設置する濁水処理装置を提案した。
具体的には、フィルターは濾過材料を円柱状に形成したもので、その円柱状のフィルターを上下で向きを互い違いに設置する。そして、ノッチタンク内において、フィルターを、下方に流入口を有する流入側仕切り材と、上方に排水口を有する排水側仕切り材との間に設置する。
【０００３】
さらに、本出願人は、特許文献２において、沈殿物によって埋まることによるフィルター有効面積の低減を防止しながら、タンク内に簡単に設置できるようにするため、濁水を浄化するフィルターを横置きに並べて収容するカートリッジと、このカートリッジの下面周囲に着脱可能に取り付けられる脚と、を備える濾過ユニットを提案した。
具体的には、カートリッジは、上下に複数段重ねられる。そのカートリッジは、枠体の上下面に網体を着脱可能に取り付けて構成される。そして、カートリッジの外周面に、タンク内面との漏水防止用のパッキング材を備える。また、網体の周囲に、上下に重ねられるカートリッジとの漏水防止用のパッキング材を備える。
【０００４】
このように従来、円柱状に成形されたフィルターをカートリッジ式にして取扱い等を容易にし、また、フィルター間及びフィルター外周にはゴムやスポンジ製の漏水防止材を取り付け、カートリッジ式の漏水防止対策としていた。
【先行技術文献】
【特許文献】
【０００５】
【特許文献１】特開２０１１−１６１３８９号公報
【特許文献２】特開２０１２−１４３７２８号公報
【発明の概要】
【発明が解決しようとする課題】
【０００６】
しかしながら、従来は、カートリッジ枠外周と水槽の空隙にもゴムやスポンジ製の漏水防止材を取り付けていたが、供用時の水圧による水槽の変形に追随するのには限界があり、この部分が漏水の原因となることがあった。また、変形により仕切板とノッチタンクの溶接部分が破断する等の問題点があった。
【０００７】
本発明の課題は、水槽が外側に変形しても漏水の心配が無い濾過ユニットを提供することである。
【課題を解決するための手段】
【０００８】
以上の課題を解決するため、請求項１に記載の発明は、
濁水を浄化する濾過フィルターを枠体内に収容し、上下面が網体で形成された濾過カートリッジを重ねて収容するボックスと、
前記ボックスを支える脚と、を備える濾過ユニットを特徴とする。
【０００９】
請求項２に記載の発明は、
請求項１に記載の濾過ユニットであって、
前記ボックスは底面に開口を備えることを特徴とする。
【００１０】
請求項３に記載の発明は、
水槽内に、請求項１または２に記載の濾過ユニットを設置した濁水処理装置を特徴とする。
【発明の効果】
【００１１】
本発明によれば、濾過ユニットのボックスが水槽と独立しているので、水槽が外側に変形しても漏水の心配が無くなる。
【図面の簡単な説明】
【００１２】
【図１】本発明を適用した濾過フィルターの一実施形態の構成を示す斜視図である。
【図２】水槽への設置例を示した縦断面図である。
【図３】濾過カートリッジと濾過ユニットの分解斜視図である。
【図４】図３の濾過カートリッジを濾過ユニットに収容した状態を示した図である。
【図５】濾過カートリッジの拡大斜視図である。
【図６】濾過カートリッジの側面を透視化して吊治具を設けた例を示した斜視図である。
【発明を実施するための形態】
【００１３】
以下、図を参照して本発明を実施するための形態を詳細に説明する。
（実施形態）
図１は本発明を適用した濾過フィルター１の一実施形態の構成を示すもので、１ＡはＡタイプの濾過フィルター、１ＢはＢタイプの濾過フィルターである。
【００１４】
図示のように、濾過フィルター１の形状をほぼ平坦な平形で平面視長方形としている。
【００１５】
ここで、濾過フィルター１としては、乾燥植物体を平形に成形して同質のネットで包んだバイオログナチュラルフィルター（バイオログは登録商標）を使用する。図示例では５つに分割している。
例えば、Ａタイプの平形濾過フィルター１Ａの重量は９ｋｇ／個、Ｂタイプの平形濾過フィルター１Ｂの重量は１４ｋｇ／個程度となる。
【００１６】
図示例において、Ａタイプの平形濾過フィルター１Ａを横に３枚並べた上に、Ｂタイプの平形濾過フィルター１Ｂを横に２枚並べた構成となっている。
なお、このように分割した場合は、漏水防止機能の面から、図示のように、フィルター１Ａ・１Ｂの横方に並ぶ鉛直接合面が上下で連続しないことが好ましい。
【００１７】
図２は水槽Ｔへの設置例を示したもので、平形濾過フィルター１を密実に収容した濾過カートリッジ２を、専用の濾過ユニット１０のボックス１１に予め２段重ねてセットし、その濾過ユニット１０を水槽Ｔ内に独立設置する。
【００１８】
図３は濾過カートリッジ２と濾過ユニット１０を示したものである。
【００１９】
図示のように、上面が開放されたボックス１１は、底面に開口１２を備えて、その開口１２の周囲にゴム板１３を改良して止水強化した構造となっていて、四隅には支柱を兼ねた脚１４が備えられている。そして、ボックス１１には、側面に通水用のパイプ１５が備えられて、上面の四隅に吊冶具１６が備えられている。このように、ボックス１１に吊治具１６を設けて、濾過ユニット１０をクレーンで設置できる。
【００２０】
また、図示例において、濾過カートリッジ２には、上面の四隅近傍に脱着可能な吊冶具６が備えられている。
【００２１】
図４は濾過カートリッジ２を濾過ユニット１０に収容した状態を示した図である。
【００２２】
図示のように、ボックス１１内に濾過カートリッジ２を２段重ねて収容し、上段の濾過カートリッジ２をボックス１１の側面に止め具１７で固定して、浮力によるカートリッジの浮き上がりを防止する。
【００２３】
図５は濾過カートリッジ２を拡大したものである。
【００２４】
図示のように、濾過カートリッジ２には、全側面が覆われた枠体３の上下面に網体４が取り付けられている。
【００２５】
図２に示したように、水槽Ｔ内において、ボックス１１は水没する形になるので、水圧による変形はほとんど生じず、点線矢印で示すように、処理すべき濁水が好適にボックス１１内を通過するようになる。図示例では、ボックス１１内に仕切板１８が設けられている。
【００２６】
なお、ボックス１１はカートリッジ２の自重を保持できる程度の強度があればよい。
また、図示のように、ボックス１１にパイプ１５を設けて自然流下させる方式としたり、浄化された濁水を図示しない水中ポンプで抜いたりする方式としてもよい。
【００２７】
図６は濾過カートリッジ２の側面を透視化して吊治具６を設けた例を示した斜視図である。この例では、平形濾過フィルターを上下で２分割としている。
【００２８】
以上、実施形態の平形濾過フィルター１によれば、従来の円柱状フィルターの課題であった点接触面が無くなり、漏水上の物理的な弱点を無くすことができる。
また、濾過カートリッジ２に入れる平形濾過フィルター１を分割することで、人力で用意にハンドリングできるので、フィルター交換作業が容易になる。
従って、例えば狭隘な場所でクレーン作業による交換が簡単にできない現場などに適用できる。
【００２９】
そして、実施形態の濾過ユニット１０によれば、専用のボックス１１と水槽Ｔが独立しているので、水槽Ｔが水圧で外側に変形しても漏水の心配が無くなる。
従って、現場で用意する水槽形状にとらわれないで適用できる。
しかも、現地止水作業及び設置作業が軽減できる。
【００３０】
（変形例）
以上の実施形態においては、平形濾過フィルターに対し下から上に水が流れるように  したが、本発明はこれに限定されるものではなく、上から下に水が流れるようにしたり、横方向に流れるようにしたりしてもよい。
また、実施形態では、乾燥植物体を圧縮成形したバイオログナチュラルフィルターとしたが、乾燥植物体を圧縮成形した成形体以外のフィルター、例えば細かい繊維を使用したループ状のモールコードや、熱可塑性合成樹脂を加熱溶融してノズルより押し出し、繊條としたものをカールさせたまま積み重ね、繊條の相互接点を溶着成型して一体化したポーラス材等でもよい。
【００３１】
さらに、実施形態では、カートリッジを上下二段重ねたユニットとしたが、必要に応じ三段以上としてもよい。その場合、脚の高さを調節することで、カートリッジの段数を調節することができる。
そして、実施形態では、平形濾過フィルターとしたが、濾過カートリッジには、円柱状や他の形状の濾過フィルターを収容してもよい。
また、濾過カートリッジ、ユニット、水槽の形状、流入口、排水口の位置等も任意であり、その他、具体的な細部構造等についても適宜に変更可能であることは勿論である。
【符号の説明】
【００３２】
１  平形濾過フィルター
２  濾過カートリッジ
３  枠体
４  網体
５  枠体
６  吊冶具
１０  濾過ユニット
１１  ボックス
１２  開口
１３  ゴム板
１４  脚
１５  パイプ
１６  吊冶具
１７  止め具
１８  仕切板
Ｔ  水槽
【図１】
2014124564.tif 000003
【図２】
2014124564.tif 000004
【図３】
2014124564.tif 000005
【図４】
2014124564.tif 000006
【図５】
2014124564.tif 000007
【図６】
2014124564.tif 000008